(57)【要約】【課題】  利用者に負担をかけずに、事前に予約又は決済した券を提供できる利便性が高い改札機および駅務システムを提供する。【解決手段】  実施形態によれば、改札機は、通信手段と、記憶手段と、読取手段と、通行判定手段と、検索手段と、発券手段とを有する。記憶手段は、発券管理装置から受信するＩＤ情報を含む発券情報を記憶する。読取手段は、利用者が提示する記憶媒体からＩＤ情報と入場の可否を判定するための情報とを読み取る。通行判定手段は、読取手段により読み取った情報に基づいて当該利用者に対する通行判定を行う。検索手段は、記憶媒体から読み取ったＩＤ情報と一致するＩＤ情報を含む発券情報を記憶手段から検出する。発券手段は、利用者の通行を許可すると判定し、かつ、記憶媒体から読み取ったＩＤ情報と一致するＩＤ情報を含む発券情報を記憶手段から検出した場合、当該ＩＤ情報を含む発券情報に基づいて券を発券する。【選択図】図３
2019160345.tif 000002
【特許請求の範囲】
【請求項１】
駅務システムを構成する複数の改札機と通信する通信手段と、
前記通信手段により通信可能な改札機で券を発券するための発券情報を外部装置から取得する取得手段と、
前記取得手段により取得した発券情報を記憶するデータベースと、
前記データベースに記憶した発券情報を前記通信手段により所定の条件に従って選出する改札機へ配信する配信手段と、
前記配信手段により配信した発券情報を用いて券を発券したことを示す発券済み情報を受信した場合、受信した発券済み情報が示す発券済みとなった券の発券情報の削除要求を改札機へ送信する処理手段と、
を有する発券管理装置。
【請求項２】
前記配信手段は、前記データベースに記憶した発券情報から前記改札機での発券情報による発券が可能となった発券情報を検出し、検出した発券情報を前記選出した改札機へ配信する、
請求項１に記載の発券管理装置。
【請求項３】
さらに、前記データベースに記憶した発券情報から発券が不可となった発券情報を検出し、検出した発券が不可となった発券情報の削除要求を改札機へ送信する第２の処理手段を有する、
請求項１又は２の何れかに記載の発券管理装置。
【発明の詳細な説明】
【技術分野】
【０００１】
本発明の実施形態は、発券管理装置に関する。
【背景技術】
【０００２】
鉄道などの交通機関では、普通乗車券とは別に、特急券、指定券、企画券などの券を発行している。近年、ユーザ端末を用いて、インターネットなどのネットワーク上で、特急券、指定券或いは企画券などの券を事前に予約又は購入できる予約購入システムが構築されている。予約購入システムで事前に予約又は購入した券は、駅の窓口等で、人の手を介して実在のきっぷ（券の情報を印字した記録媒体としての券）に引換える運用としていることが多い。また、予約購入システムで事前に予約又は購入した券を、利用者自身が操作する券売機で発券する運用を行っている場合もある。
【０００３】
しかしながら、事前に予約又は決済した券を受け取るために、駅の窓口に並んだり、券売機で発券操作を行ったりすることは、利用者の負担となる。このため、事前に予約又は決済した券を効率良く利用者が受け取ることができる利便性の高いシステムが要望されている。
【先行技術文献】
【特許文献】
【０００４】
【特許文献１】特開２００４−３４１７７３号公報
【発明の概要】
【発明が解決しようとする課題】
【０００５】
上記の課題を解決するために、利用者に負担をかけずに、事前に予約又は決済した券を提供できる利便性が高い発券管理装置を提供することを目的とする。
【課題を解決するための手段】
【０００６】
実施形態によれば、発券管理装置は、通信手段と取得手段とデータベースと配信手段と処理手段とを有する。通信手段は、駅務システムを構成する複数の改札機と通信する。取得手段は、前記通信手段により通信可能な改札機で券を発券するための発券情報を外部装置から取得する。データベースは、前記取得手段により取得した発券情報を記憶する。配信手段は、前記データベースに記憶した発券情報を前記通信手段により所定の条件に従って選出する改札機へ配信する。処理手段は、前記配信手段により配信した発券情報を用いて券を発券したことを示す発券済み情報を受信した場合、受信した発券済み情報が示す発券済みとなった券の発券情報の削除要求を改札機へ送信する。
【図面の簡単な説明】
【０００７】
【図１】図１は、実施形態に係る駅務システムの構成例を概略的に示す図である。
【図２】図２は、実施形態に係る改札機の構成例を示す上面図である。
【図３】図３は、実施形態に係る改札機の制御系の構成例を示すブロック図である。
【図４】図４は、実施形態に係る改札機に対して乗車券として利用されるＩＣカードの構成例を示すブロック図である。
【図５】図５は、実施形態に係る発券管理装置の制御系の構成例を示すブロック図である。
【図６】図６は、実施形態に係る発券管理装置における発券情報の管理処理を説明するためのフローチャートである。
【図７】図７は、実施形態に係る改札機における発券情報の管理処理を説明するためのフローチャートである。
【図８】図８は、実施形態に係る改札機における第１の運用例としての改札処理の例を説明するためのフローチャートである。
【図９】図９は、実施形態に係る改札機における第２の運用例としての入場処理の例を説明するためのフローチャートである。
【図１０】図１０は、実施形態に係る改札機における第２の運用例としての出場処理の例を説明するためのフローチャートである。
【発明を実施するための形態】
【０００８】
以下、実施の形態について、図面を参照して説明する。  
図１は、駅務システムの構成例を概略的に示す図である。  
駅務システムは、発券管理装置（サーバ）１、改札機２、および予約購入システム３を有する。なお、発券管理装置１及び改札機２を有する駅務システムと予約購入システム３とは、別々のシステムとしても良い。この場合、駅務システムは、発券管理装置１と改札機２とから構成し、発券管理装置１と改札機２とを有する駅務システムが、予約購入システム３に通信可能に接続される構成としても良い。
【０００９】
予約購入システム３は、インターネットなどのネットワーク上において、特急券、指定券、企画券などの券に対する予約又は販売（決済）を提供するシステムである。予約購入システム３は、インターネットなどのネットワークを介して通信接続されるユーザ端末４からの指示に応じて券の予約又は販売（決済）を行う。本実施形態において、予約購入システム３は、利用者が所持するＩＣカードＣとしての普通乗車券と併用される、特急券、指定券、或いは企画券などの特殊券を予約又は販売するシステムであることを想定するものとする。また、予約購入システム３は、乗車券付きの特殊券を予約又は販売できるものとする。
【００１０】
なお、以下に説明する本実施形態では、予約購入システム３は、ユーザ端末４からの指示に応じて販売（決済）済みの特殊券に関する券情報を、利用者が所持するＩＣカードＣに記憶されているＩＤ情報に対応づけた発券情報として発券管理装置１へ提供する。ただし、予約購入システム３は、決済が不要な券、或いは改札機２においてＩＣカードＣでの決済が可能な券などの特殊券については予約のみであっても当該特殊券に関する券情報をＩＤ情報に対応づけた発券情報として発券管理装置１へ提供するものとしても良い。
【００１１】
予約購入システム３は、サーバおよび通信装置を含むシステムとして構成される。予約購入システム３のサーバは、プロセッサ、メモリ及び各種インターフェースを有し、プロセッサがメモリに記憶したプログラムを実行することで各種の処理機能を実現するものである。例えば、予約購入システム３のサーバは、通信装置によりインターネットなどのネットワークを介してユーザ端末４と通信し、ユーザ端末４からの指示に応じて券の予約および決済処理を行う機能を有する。また、予約購入システム３のサーバは、通信装置を用いて専用回線などの通信回線を介して発券管理装置１と通信する機能を有する。予約購入システム３は、決済済みの券に関する券情報と利用者のＩＤ情報とを含む発券情報を発券管理装置１へ送信する機能を有する。
【００１２】
発券管理装置１は、予約購入システム３と通信する機能を有する。発券管理装置１は、利用者が予約購入システム３で事前に購入（事前決済）した特殊券（特急券、指定券、企画券など）を発券するための発券情報を取得する。発券管理装置１は、予約購入システム３から取得した発券情報を管理する機能を有する。例えば、発券管理装置１は、予約購入システム３から取得した発券情報をデータベースなどに保存する機能を有する。発券管理装置１は、取得した発券情報を選択的に改札機２へ配信する機能を有する。さらに、発券管理装置１は、改札機２からの発券情報に対する発券済みの通知に基づいて当該発券情報を発券済みの状態とする機能を有する。
【００１３】
改札機２は、駅の改札口などで利用者の通行を制御する装置である。改札機２は、例えば、各駅の改札口などに複数台が並べて設置される。改札機２は、利用者が所持する記憶媒体としてのＩＣカードＣから情報を読み取る機能、ＩＣカードＣから読み取った情報などに基づいて当該利用者の通行の可否を判定する機能、通行の可否の判定結果に基づいて利用者の通行を制御する通行制御機能を有する。
【００１４】
さらに、本実施形態に係る改札機２は、発券管理装置１とデータを送受信する通信機能、発券管理装置１からの発券情報をメモリに記憶する機能、メモリに記憶した発券情報に基づいて特殊券を発券する機能、および、発券済みの券を発券管理装置１へ通知（発券済みの券を示す発券済み情報を送信）する機能などを有する。
【００１５】
改札機２は、利用者が乗車券として使用する記憶媒体として、ＩＣカードだけでなく、磁気記憶媒体などの記録媒体を処理する機能を具備しても良い。ただし、本実施形態では、利用者が所持する乗車券として使用する記憶媒体がＩＣカードＣである場合を想定して説明する。また、乗車券として利用されるＩＣカードＣは、乗車券（ストアードフェアカード、定期券、回数券など）として利用可能な情報、固有の識別情報としてのＩＤ情報、および、通行判定するための入出場情報を記憶する記憶部を有する。これらのＩＣカードＣの記憶部に記憶されている情報は、改札機２により読み取られる情報である。
【００１６】
また、改札機２は、特殊券Ｔを発券する機能を有する。改札機２が発券する特殊券Ｔは、発券管理装置１から配信される発券情報に基づいて発券されるものである。発券情報は、例えば、利用者が予約購入システム３で事前に購入（事前決済）した特殊券（特急券、指定券、企画券など）を発券するための情報である。つまり、改札機２は、利用者が予約購入システム３で事前に購入（事前決済）した特殊券（特急券、指定券、企画券など）を発券する機能を有する。
【００１７】
改札機２が発券する特殊券Ｔは、乗車券としての機能を有するＩＣカードＣと併用される券であり、利用者が認識可能な文字及び記号などで券情報が印字される。また、改札機２は、利用者が認識可能な文字及び記号などの情報だけでなく、二次元コードなどのコード情報Ｑを印字した特殊券Ｔを発券する。特殊券Ｔに印字するコード情報Ｑとしての二次元コードは、券情報などをコード化した情報であっても良いし、不正防止のための情報であっても良い。また、改札機２が発券する特殊券Ｔは、複製などの不正防止のための不正防止機能を有する記録媒体に券情報が印字されるものとしても良い。
【００１８】
次に、改札機２について説明する。  
図２は、実施形態に係る改札機２の構成例を概略的に示す上面図である。  
改札機２は、駅の改札口などに設置される。例えば、改札機２は、２台１組で利用者が通行するための改札用の通路を形成する。図２に示す構成例では、改札機２が形成する通路を利用者が入場時に矢印ａ方向（入場方向）へ通行し、出場時に矢印ａとは逆の方向（出場方向）へ通行することを想定している。改札機２は、入場時には矢印ａ方向に向かって右側が筐体１２ａで利用者が提示するＩＣカードＣの読取り行い、出場時には矢印ａとは逆の方向へ向かって右側の筐体１２ｂでＩＣカードＣの読取りを行う。なお、図２は、入場及び出場用（両用）の改札機２の構成を示すものであるが、改札口には、入場専用の改札機２および出場専用の改札機２をそれぞれ設けても良い。
【００１９】
改札機２は、通路側に開閉可能な扉１３が設けられる。扉１３は、利用者の通過又は通路への進入を阻止する場合に閉じられる。図２に示す構成例では、改札機２は、利用者の入場方向への通行（入場）を阻止するための扉１３と出場方向への通行（出場）を阻止するための扉１３とが設けられる。
【００２０】
改札機２は、ＩＣカードＣと通信を行う送受信部１４が設けられる。送受信部１４は、筐体１２ａにおける入場側の進入口と筐体１２ｂにおける出場側の進入口とに設けられる。改札機２は、送受信部１４を介して、非接触式のＩＣカードであるＩＣカードＣと非接触通信を行う。また、送受信部１４には、ＩＣカードＣとの通信状態（アクセス状態）を示すランプ１４ａが設けられている。  
改札機２は、筐体１２ａ、１２ｂの上面に表示部１５を有する。例えば、筐体１２ａには通路を入場方向（ａ方向）に通行（入場）しようとする利用者に対する案内を表示する表示部１５が設けられる。筐体１２ｂには通路を出場方向に通行（出場）しようとする利用者に対する案内を表示する表示部１５が設けられる。
【００２１】
改札機２は、通路の出口側の筐体１２ａの上面に券排出部１６を有する。券排出部１６は、通路を入場方向に通行（入場）する利用者に対して、通路の出口側にもう置けられる。券排出部１６は、後述する発券部が発券情報に基づいて発券する券を排出する。券排出部１６は、排出した券を利用者が通路を通過する際に受け取れるように構成される。  
また、改札機２は、通路を通過する人を検知する人間検知センサを有する。例えば、人間検知センサは、改札機２の筐体における通路側の側面に複数個が設置される。改札機２は、人間検知センサが検知する人の位置に応じた制御を行う。
【００２２】
次に、改札機２の制御系の構成について説明する。  
図３は、実施形態に係る改札機２における制御系の構成例を示すブロック図である。  
図３に示すように、改札機２は、扉１３、送受信部１４、表示部１５、券排出部１６、制御部２１、ＩＣカード処理部２２、メモリ２３、通信部２４、通行制御部２５、開閉機構２６、および、発券部２７などを備える。  
制御部２１は、改札機２全体の制御を司るものである。制御部２１は、ＣＰＵなどのプロセッサ、プロセッサの作業領域として機能するバッファメモリ、プロセッサが実行する種々のプログラムや制御データなどを記憶するプログラムメモリ、および、各種のインターフェースなどから構成される。すなわち、制御部２１では、プロセッサがプログラムを実行することにより種々の機能を実現している。
【００２３】
ＩＣカード処理部２２は、利用者が所持するＩＣカードを処理するものである。ＩＣカード処理部２２は、送受信部１４を有する。送受信部１４は、例えば、アンテナなどで構成され、ＩＣカードＣとの非接触通信のための電波の送受信を行う。送受信部１４は、アンテナからの電波が届く範囲である送受信可能エリアＥ内に存在するＩＣカードＣに電力を供給し、この電力により動作するＩＣカードＣとの非接触通信用の電波を送受信する。
【００２４】
ＩＣカード処理部２２は、ＩＣカードＣから情報を読取る読取手段およびＩＣカードＣに情報を書き込む書込手段として機能する。たとえば、ＩＣカード処理部２２は、制御部２１からの指示に基づいて、送受信部１４を介して送受信可能エリアＥ内に存在するＩＣカードＣからＩＤ情報（識別情報）を含む情報を読み取る。また、ＩＣカード処理部２２は、制御部２１による制御に従ってＩＣカードＣに入場情報や出場情報などのデータを書き込む書込処理を行なう。
【００２５】
また、図２に示す構成例では、送受信部１４の縁部に、リング状にダイオードなどのランプ１４ａが配置されている。改札機２がＩＣカードＣと通信可能な状態となった場合、制御部２１は、リング状に配置されたランプ１４ａを点灯させるように制御する。これにより、利用者は、目視により自身が所持するＩＣカードＣと改札機２との通信状態を確認することができる。
【００２６】
メモリ２３は、各種のプログラムや制御データなどを記憶する。また、メモリ２３は、通行判定に必要な情報を記憶する。メモリ２３は、通行判定に必要な情報として、例えば、運賃精算に必要な運賃情報、入場駅からの経路判定用の情報、および、乗車券の券種に応じた精算方法などを示す情報などを記憶する。  
また、メモリ２３は、書換え可能な不揮発性のメモリとしての記憶領域２３ａを有する。記憶領域２３ａは、発券部２７により券を発券するための発券情報を記憶する。制御部２１は、発券管理装置１から配信される発券情報を記憶領域２３ａに記憶し、発券済みの券の発券情報を記憶領域２３ａから削除する。
【００２７】
通信部２４は、通信手段として機能する。通信部２４は、発券管理装置１とデータの通信を行なうための通信インターフェースである。通信部２４は、サーバ装置や監視盤などの上位装置を介して、発券管理装置１と通信するものであってよい。  
表示部１５は、利用者への案内表示などを表示する。表示部１５は、例えば、液晶表示装置により構成される。表示部１５には、通行を不可と判定された利用者に対して、通行不可と判定された旨を表示する。
【００２８】
通行制御部２５は、利用者の通行を制御するものである。通行制御部２５は、制御部２１の一機能として構成しても良い。通行制御部２５は、開閉機構２６により扉１３の開閉を制御する。例えば、通行制御部２５は、利用者の通行を阻止する場合、開閉機構２６により扉１３を閉じる制御を行う。
【００２９】
発券部２７は、発券情報に基づく券（特殊券）Ｔを発券する。発券部２７は、発券した券Ｔを券排出部１６から排出する。発券部２７は、乗車券としての機能を有するＩＣカードＣと併用される特殊券（特急券、指定券、企画券など）としての券情報を印字した記録媒体を特殊券Ｔとして発券する。発券部２７は、利用者が認識可能な文字及び記号などの券情報だけでなく、二次元コードなどのコード情報Ｑを印字した券Ｔを発券するようにしても良い。この場合、券Ｔに印字するコード情報Ｑとしての二次元コードは、例えば、券情報などをコード化した情報であっても良い。また、発券部２７は、不正防止のため、複製防止などの機能を有する記録媒体に券情報を印字した券（特殊券）Ｔを発券するようにしても良い。なお、本実施形態において、発券部２７は、予約購入システム３で事前決済された特殊券の発券情報に基づいて発券処理を行うものとする。
【００３０】
次に、ＩＣカードＣの構成について説明する。  
図４は、ＩＣカードＣの構成例について説明するためのブロック図である。  
図４に示すように、ＩＣカードＣは、ＣＰＵ３１、通信部３２、ＲＯＭ３３、ＲＡＭ３４、および不揮発性メモリ３５などを備える。  
ＣＰＵ３１は、ＩＣカードＣ全体の制御を司るものである。ＣＰＵ３１は、ＲＯＭ３３あるいは不揮発性メモリ３５に記憶された制御プログラムを実行することにより種々の機能を実現している。通信部３２は、改札機２とデータの送受信を行なうための通信インターフェースとして機能する。通信部３２は、アンテナおよび通信制御部などにより構成される。
【００３１】
ＲＯＭ３３は、制御用のプログラムや制御データなどが記憶されている不揮発性のメモリである。ＲＯＭ３３に記憶されている制御プログラムは、予めＩＣカードＣの仕様に応じて組み込まれる。ＲＡＭ３４は、ワーキングメモリとして機能する揮発性のメモリである。ＲＡＭ３４は、ＣＰＵ３１が処理中のデータなどを一時保管するバッファメモリとして機能する。例えば、ＲＡＭ３４は、通信部３２を介して改札機２などから受信したデータ、あるいは、改札機２などへ送信するデータを一時的に保管する。
【００３２】
不揮発性メモリ３５は、例えば、ＥＥＰＲＯＭ（登録商標）あるいはフラッシュＲＯＭなどのデータの書き込み及び書き換えが可能な不揮発性のメモリにより構成される。不揮発性メモリ３５には、ＩＣカードＣの運用用途に応じてプログラムファイルやデータファイルなどが定義され、それらのファイルにデータが書き込まれる。  
本実施形態に係るＩＣカードＣの不揮発性メモリ３５は、ＩＤ情報と通行判定するための情報（乗車券として利用可能な情報）と入出場情報とを記憶するための記憶領域３５ａを有する。なお、記憶領域３５ａには、当該ＩＣカードＣを所持する人物に関する利用者情報として、住所、氏名、年齢、性別、および利用者種別情報などの情報を記憶しても良い。また、記憶領域３５ａには、改札機２により書き換え、または追記される利用履歴などの情報を記憶しても良い。
【００３３】
次に、発券管理装置１の構成について説明する。  
図５は、発券管理装置１の構成例を説明するためのブロック図である。  
図５に示すように、発券管理装置１は、制御部４１、メモリ４２、データベース４３、第１通信部４４、および、第２通信部４５などを有する。  
制御部４１は、発券管理装置１全体の制御を司るものである。制御部４１は、プロセッサ、バッファメモリ、種々のプログラムや制御データなどを記憶するプログラムメモリなどにより構成される。制御部４１では、プロセッサがメモリに記憶したプログラムを実行することにより種々の機能を実現している。メモリ４２は、情報を記憶する記憶部である。メモリ４２は、予約購入システム３から取得する発券情報を記憶するデータベース４３を有する。
【００３４】
第１通信部４４は、予約購入システム３のサーバと通信するための通信インターフェースである。第１通信部４４は、専用回線を介して予約購入システム３のサーバと通信するものである。ただし、第１通信部４４は、セキュアに予約購入システム３と通信できるものであれば良く、例えば、インターネットなどのネットワークを介して予約購入システム３のサーバと通信するものであっても良い。
【００３５】
第２通信部４５は、当該駅務システムに存在する発券機能を有する各改札機２とデータの送受信を行なうための通信インターフェースである。第２通信部４５は、各改札機２とセキュアに通信できるものであれば良い。例えば、第２通信部４５は、各改札機２に接続される上位装置（駅や管区毎に設けたサーバ、又は、複数の改札機２が接続される監視盤などの装置）を介して各改札機２と通信する。また、第２通信部４５は、セキュアに通信できるものであれば、無線通信などにより各改札機２と通信するものであっても良い。
【００３６】
次に、発券管理装置１における発券情報の管理処理について説明する。  
発券管理装置１は、予約購入システム３から事前決済された券に関する券情報とＩＤ情報とを含む発券情報を取得し、取得した発券情報をデータベース４３に保存する。発券管理装置１は、データベース４３に保存した発券情報を券の発券処理を実行可能とする各改札機へ配信する。また、発券管理装置１は、各改札機２から発券済みとなった券に関する情報（発券済み情報）を収集し、改札機２から取得した発券済み情報をデータベース４３に蓄積すると共に発券済みとなった券の発券情報を配信した改札機２へ発券済みの券を示す発券済み情報を送信する。
【００３７】
図６は、発券管理装置１における券情報の管理処理を説明するためのフローチャートである。  
発券管理装置１は、事前決済された券に関する券情報とＩＣカードＣのＩＤ情報とを含む発券情報を予約購入システム３から取得する（Ｓ１）。予約購入システム３から発券情報を取得すると、発券管理装置１の制御部４１は、予約購入システム３から取得した発券情報をデータベース４３に保存する（Ｓ２）。
【００３８】
例えば、発券管理装置１の制御部４１は、予約購入システム３から随時送信される発券情報を第１通信部４４により受信する。この場合、予約購入システム３は、事前決済が完了するごとに、決済された券に関する券情報と利用者が所持するＩＣカードＣのＩＤ情報とを含む発券情報を発券管理装置１へ送信するようにすれば良い。また、発券管理装置１の制御部４１は、定期的に予約購入システム３から券情報を取得するようにしても良い。この場合、予約購入システム３は、事前決済された券情報とＩＤ情報とを含む発券情報を保存しておき、発券管理装置１からの要求に応じて保存した発券情報を発券管理装置１へ送信するようにすれば良い。
【００３９】
なお、予約購入システム３から取得する発券情報に含まれるＩＤ情報は、発券管理装置１が当該利用者のＩＣカードＣのＩＤ情報を特定（変換）できる情報に置き換えても良い。例えば、発券管理装置１は、利用者情報（利用者名、電話番号、ユーザＩＤなど）とＩＤ情報とを対応づけたデータベースを参照できるようにすれば、予約購入システム３からはＩＤ情報の代わりにＩＤ情報を一意に特定できる利用者情報を取得するようにしても良い。
【００４０】
また、発券管理装置１の制御部４１は、データベース４３に保存した発券情報のうち改札機２へ配信すべき発券情報があるか否かを判断する（Ｓ３）。制御部４１は、データベース４３に保存した各発券情報が改札機２での発券が許可される条件を満たしているか否かにより、改札機２へ配信すべきか否かを判断する。例えば、特殊券の利用日（又は利用可能期間）に改札機２での発券を行える運用とする場合、制御部４１は、データベース４３に保存した発券情報のうち、特殊券の利用日が当日となった発券情報を改札機２へ配信する必要があると判断する。
【００４１】
改札機２へ配信すべき発券情報が有ると判断した場合（Ｓ３、ＹＥＳ）、制御部４１は、配信すべきと判断した発券情報の配信先とする改札機２を選出する（Ｓ４）。例えば、制御部４１は、駅単位又は改札口単位で配信先とする改札機２を選出する。また、制御部４１は、発券情報に含まれる発券すべき特殊券（例えば、特急券又は指定券など）の発駅に基づいて当該発券情報の配信先を選出しても良い。この場合、制御部４１は、発駅に設置されている改札機２と、発駅の周辺の駅（例えば、発駅に隣接する駅など）に設置されている改札機２とを発券情報の配信先としても良い。また、制御部４１は、発券すべき券の区間内となる各駅に設置された改札機２を発券情報の配信先としても良い。さらには、制御部４１は、予約購入システム３で利用者が指定する１または複数の駅を配信先として設定しておき、配信先の駅に設置された改札機２を発券情報の配信先としても良い。
【００４２】
発券情報の配信先とする改札機２を選出すると、制御部４１は、第２通信部４５により選出した各改札機２へ発券情報を配信する（Ｓ５）。発券情報を配信する場合、制御部４１は、配信先の改札機を特定するための情報を保存するようにしても良い。例えば、制御部４１は、各発券情報に対応づけて、発券情報を配信した改札機を示す情報をデータベース４３に記憶する。
【００４３】
また、発券管理装置１の制御部４１は、第２通信部４５により各改札機２からの発券済みを示す情報（発券済み情報）を受信する（Ｓ６）。１つの改札機２から発券済み情報を受信した場合（Ｓ６、ＹＥＳ）、制御部４１は、受信した発券済み情報をデータベース４３に保存する（Ｓ７）。例えば、制御部４１は、発券済み情報が示す券（発券済みの券）の発券情報をデータベース４３から検索し、検索した発券情報に発券済みであることを示す情報を追記する。また、制御部４１は、発券済みの券の発券情報をデータベース４３から削除するようにしても良い。
【００４４】
また、１つの改札機２から発券済み情報を受信した場合（Ｓ６、ＹＥＳ）、制御部４１は、発券済みの券の発券情報を配信した全ての改札機２へ発券済みとなった券の発券情報を削除する要求を行う（Ｓ８）。例えば、制御部４１は、発券済みとなった券の発券情報を配信した全ての改札機２を特定し、特定した各改札機２へ発券済みとなった券の発券情報の削除要求を送信する。
【００４５】
また、制御部４１は、発券済みとなった券の発券情報の削除要求を送信する代わりに、各改札機２に対して発券済み情報を送信するようにしても良い。この場合、改札機２は、受信する発券済み情報に従って発券済みとなった券を削除するようにすれば良い。このような発券済みとなった券の発券情報の削除要求又は発券済み情報の配信によって、各改札機２では、発券済みとなった券の発券情報を削除することができ、発券済みとなった券が複数の改札機２で複数回発券されることを防ぐことができる。
【００４６】
また、発券管理装置１の制御部４１は、未発券の状態となっている発券情報のうち改札機２での発券を不可とすべき発券情報があるか否かを判断する（Ｓ９）。例えば、制御部４１は、未発券の状態のままである発券情報のうち、改札機２での発券可能な期限が切れている発券情報があるかを判断する。例えば、特殊券の利用日（又は利用可能期間）に限って改札機２での発券を行える運用とする場合、制御部４１は、データベース４３に保存した未発券状態の発券情報のうち特殊券の利用日（利用可能期間）が過ぎた発券情報を特定する。
【００４７】
発券不可とする発券情報を検出した場合（Ｓ９、ＹＥＳ）、制御部４１は、検出した発券情報が発券不可となったこと示す発券不可情報をデータベース４３に保存する（Ｓ１０）。例えば、制御部４１は、発券不可と判断された発券情報をデータベース４３から検索し、検索した発券情報に発券不可となったことを示す情報を追記する。また、制御部４１は、発券不可と判断された発券情報をデータベース４３から削除するようにしても良い。
【００４８】
さらに、発券不可とする発券情報を検出した場合（Ｓ９、ＹＥＳ）、制御部４１は、発券不可となった発券情報を配信した全ての改札機２へ発券不可となった券の発券情報を削除する要求を送信する（Ｓ１１）。例えば、制御部４１は、発券不可となった発券情報を配信済みの全ての改札機２を特定し、特定した各改札機２へ発券不可となった発券情報の削除要求を送信する。
【００４９】
また、制御部４１は、発券不可となった発券情報の削除要求を送信する代わりに、各改札機２に対して発券不可となった発券情報を示す発券不可情報を送信するようにしても良い。この場合、改札機２は、受信する発券不可情報に従って発券不可となった発券情報を削除するようにすれば良い。このような発券不可となった発券情報の削除要求又は発券済み情報の配信によって、各改札機２では、期限切れ等で発券不可となった発券情報を削除することができ、発券不可（期限切れ）となった券が改札機２で発券されることを防ぐことができる。  
発券管理装置１は、上述したＳ１−Ｓ１２の処理を繰り返し実行することにより、予約購入システム３で事前決済した券に対する発券情報を管理する。
【００５０】
次に、改札機２における発券情報の管理について説明する。  
改札機２は、通信部２４により発券管理装置１との通信が可能な状態となっている。通信部２４により発券管理装置１からの発券情報を受信した場合（Ｓ２１、ＹＥＳ）、改札機２の制御部２１は、受信した発券情報をメモリ２３の記憶領域２３ａに記憶する（Ｓ２２）。発券管理装置１からの発券情報を記憶領域２３ａに記憶することにより、改札機２は、発券情報に基づく発券処理が可能な状態となる。
【００５１】
また、発券部２７により発券情報に基づく券を発券した場合（Ｓ２３、ＹＥＳ）、改札機２の制御部２１は、発券済み処理を実行する（Ｓ２４及びＳ２５）。制御部２１は、発券済み処理として、発券済みとなった券を示す発券済み情報を発券管理装置１へ送信する（Ｓ２４）。また、制御部２１は、発券済み処理として、発券済みとなった券の発券情報を記憶領域２３ａから削除する（Ｓ２５）。
【００５２】
また、通信部２４により発券管理装置１からの発券情報の削除要求を受信した場合（Ｓ２６、ＹＥＳ）、改札機２の制御部２１は、削除が要求された発券情報をメモリ２３の記憶領域２３ａから削除する（Ｓ２７）。すなわち、制御部２１は、他の改札機２で発券済みとなった券の発券情報を削除する要求を受けると、発券済みとなった券の発券情報を記憶領域２３ａから削除する。また、制御部２１は、期限切れなどの発券不可の状態となった発券情報を発券管理装置１からの削除要求に応じて記憶領域２３ａから削除する。  
改札機２は、上述したＳ２１−Ｓ２７の処理を繰り返し実行することにより、発券管理装置１から配信される発券情報を管理する。
【００５３】
以下、本実施形態に係る改札機２による改札処理の説明として、第１の運用例における改札処理（入場処理）の例と第２の運用例における改札処理（入場処理及び出場処理）の例とを説明する。  
まず、第１の運用例における改札機２の改札処理について説明する。  
第１の運用例は、予約購入システム３により事前決済する券が、改札機２での通行判定には加味されない券（乗車券とは別の特急券、指定券、企画券などの券）であることを想定するものである。つまり、第１の運用例において、改札機２は、事前決済される券を入場（通行）判定に用いないことを前提とし、ＩＣカードＣによる通常の通行制御（入場処理）を行うとともに、事前決済された券の発券情報に基づく発券処理を実行するものである。
【００５４】
図８は、第１の運用例における改札機２による入場時の改札処理（入場処理）の例を説明するためのフローチャートである。  
改札機２のＩＣカード処理部２２は、ＩＣカードＣとの通信待ちの状態である場合、送受信部１４による送受信可能エリアＥ内に存在するＩＣカードＣを検知する。例えば、送受信部１４は、ＩＣカードＣに応答を要求する信号を送信し、ＩＣカードＣからの応答を待つ。利用者がＩＣカードＣをエリアＥに翳すと、送受信部１４は、ＩＣカードＣからの応答を受信する。ＩＣカード処理部２２は、送受信部１４が受信する応答によりＩＣカードＣを検知し、当該ＩＣカードＣとの非接触通信を開始する。送受信部１４がＩＣカードＣとの通信を開始する場合、ＩＣカード処理部２２は、ランプ１４ａを点灯させるようにしても良い。
【００５５】
ＩＣカードＣを検知すると、改札機２の制御部２１は、ＩＣカード処理部２２によりＩＣカードＣに記憶されている情報を読み取る（Ｓ３１）。ＩＣカードＣからＩＤ情報を読み取ると、制御部２１は、読み取ったＩＤ情報に一致するＩＤ情報を含む発券情報を記憶領域２３ａに記憶した発券情報から検索する（Ｓ３２）。また、制御部２１は、ＩＣカードＣから通行判定するための情報を読み取ると、読み取った情報に基づいて当該利用者に対する通行判定を行う（Ｓ３３）。なお、上記Ｓ３２の処理は、Ｓ３３の処理の後に実施しても良いし、Ｓ３３の処理と並行して実施しても良い。また、Ｓ３２の処理は、後述する通行判定により利用者の通行を許可すると判定した後に実行するようにしても良い。Ｓ３２の処理は、通路を通行する人物が発券部２７により発券する券を券排出部１６で受け取れるタイミングで実行されるものであれば良い。
【００５６】
通行判定により利用者の通行を不可とすると判定した場合（Ｓ３４、ＮＯ）、制御部２１は、当該利用者の通行を阻止するための通行阻止処理を実行する（Ｓ４０）。例えば、制御部２１は、通行阻止処理として、通行の不可を示す案内を表示部５に表示し、通行制御部２５により開閉機構２６を制御して扉１３を閉め、当該利用者に対する改札処理を終了する。
【００５７】
通行判定により利用者の通行を許可すると判定した場合（Ｓ３４、ＮＯ）、制御部２１は、ＩＣカードＣに入場情報を書込む（Ｓ３５）。入場情報は、当該ＩＣカードＣが入場状態であることを示す情報を含む。  
また、通行判定により利用者の通行を許可すると判定した場合（Ｓ３４、ＮＯ）、制御部２１は、Ｓ３２のＩＤ検索によってＩＣカードＣから読み取ったＩＤ情報と一致するＩＤ情報を含む発券情報があるか否かにより、発券処理が必要か否かを判断する（Ｓ３６）。ここで、制御部２１は、ＩＣカードＣから読み取ったＩＤ情報と一致するＩＤ情報を含む発券情報がある場合、当該発券情報に基づく発券処理を実行するものと判断する。
【００５８】
発券処理が必要であると判断した場合（Ｓ３６、ＹＥＳ）、制御部２１は、ＩＣカードＣのＩＤ情報と一致するＩＤ情報を含む発券情報に基づく発券処理を発券部２７に実行させる（Ｓ３７）。例えば、制御部２１は、発券情報に基づいて発券する券に印字すべき印字情報を生成し、生成した印字情報と共に券（特殊券）の発券を発券部２７に指示する。制御部２１は、印字情報として、発券する券の内容を示す文字や記号の情報だけでなく、二次元コードを生成しても良い。発券部２７は、制御部２１からの指示に応じて記録媒体に印字情報を印字した特殊券を発券し、発券した特殊券を券排出部１６から放出する。発券が完了すると、制御部２１は、上述した発券済み処理（Ｓ２４、Ｓ２５）として、発券済み情報を発券管理装置１へ送信するとともに、当該発券情報を記憶領域２３ａから削除する（Ｓ３８）。
【００５９】
また、発券処理が完了した場合、或いは、通行可と判定した利用者に対する発券処理が不要であると判断した場合（Ｓ３６、ＮＯ）、制御部２１は、当該利用者の通行を許可する通行許可処理を実行する（Ｓ３９）。例えば、制御部２１は、通行許可処理として、通行の許可を示す案内を表示部５に表示し、通行制御部２５により扉１３を開放状態とすることにより、当該利用者に対する改札処理を終了する。
【００６０】
以上の処理によれば、改札機２は、予約購入システムで事前決済した券に関する券情報と利用者のＩＣカードのＩＤ情報とを含む発券情報を記憶部に記憶しておく。利用者が提示するＩＣカードからＩＤ情報と入場の可否を判定するための情報とを読み取り、ＩＣカードから読み取った情報に基づいて利用者に対する通行判定を行う。さらに、改札機は、利用者の通行を許可すると判定し、かつ、記憶媒体から読み取ったＩＤ情報と一致するＩＤ情報を含む発券情報を記憶手段から検出した場合、当該利用者の通行を許可するとともに、当該ＩＤ情報を含む発券情報に基づく券を発券する。
【００６１】
これにより、改札機２は、入場時に事前決済した券を発券し、利用者に提供できる。この結果、利用者に窓口或いは券売機に行って事前決済した券を受け取るなどの負担をかけることがない、利便性が高いシステムを提供できる。
【００６２】
次に、第２の運用例における改札機２による改札処理について説明する。  
第２の運用例は、予約購入システム３で事前決済される券には乗車券付きの券（特殊券）が含まれることを想定したものである。乗車券付きの特殊券としては、例えば、乗車券付きの特急券、乗車券付きの指定券、あるいは、乗車区間が規定されている企画券などを想定するものである。乗車券付きの特殊券が事前決済されている場合、改札機２は、利用者が提示するＩＣカードＣから読み取る情報だけでなく、事前決済されている特殊券に付加されている乗車券の情報を加味して通行判定を行う。このため、乗車券付きの券を発券するための発券情報には、発券する特殊券に関する情報と当該特殊券に付加される乗車券に関する情報（乗車区間、及び、乗車券の券種を示す情報を含む情報）とが券情報として含まれるものとする。
【００６３】
図９は、改札機２における第２の改札処理に係る入場処理の例を説明するためのフローチャートである。  
ＩＣカードＣがエリアＥに提示されると、改札機２の制御部２１は、ＩＣカード処理部２２によりＩＣカードＣに記憶されている情報を読み取る（Ｓ４１）。ＩＣカードＣからＩＤ情報を読み取ると、制御部２１は、読み取ったＩＤ情報に一致するＩＤ情報を含む発券情報を記憶領域２３ａから検索する（Ｓ４２）。ＩＣカードＣから読み取ったＩＤ情報と一致する発券情報がない場合、あるいは、ＩＤ情報が一致する発券情報が乗車券付きの特殊券の発券情報ではない場合（Ｓ４３、ＮＯ）、制御部２１は、ＩＣカードＣから読み取った情報に基づく通常の通行判定を行う（Ｓ４７）。
【００６４】
ＩＣカードＣから読み取った情報に基づく通行判定により通行可と判定した場合（Ｓ４８、ＹＥＳ）、制御部２１は、ＩＣカードＣに入場情報を書込み（Ｓ４９）、Ｓ５０へ進む。また、ＩＣカードＣから読み取った情報に基づく通行判定により通行不可と判定した場合（Ｓ４８、ＮＯ）、制御部２１は、通行阻止処理を実行し（Ｓ５４）、当該利用者に対する改札処理を終了する。
【００６５】
ＩＣカードＣから読み取ったＩＤ情報と一致する発券情報が乗車券付きの特殊券の発券情報である場合（Ｓ４３、ＹＥＳ）、制御部２１は、発券情報に含まれる特殊券に付加された乗車券の情報（以下、発券情報の乗車券情報と称する）を加味した通行判定を行う（Ｓ４４）。例えば、制御部２１は、発券情報の乗車券情報が示す乗車区間内であれば、発券情報の乗車券情報により当該利用者の通行を許可と判定する。また、制御部２１は、発券情報の乗車券情報が示す乗車区間外であれば、ＩＣカードＣから読み取った情報により通行（入場）の可否を判定する。発券情報の乗車券情報を加味した通行判定により通行可と判定した場合（Ｓ４５、ＹＥＳ）、制御部２１は、入場情報とともに、発券情報の乗車券情報をＩＣカードＣに書込む（Ｓ４６）。これにより、ＩＣカードＣは、予約購入システム３で事前決済した特殊券に付加されている乗車券としても利用可能な状態となる。
【００６６】
また、発券情報の乗車券情報を加味した通行判定により通行不可と判定した場合（Ｓ４５、ＮＯ）、制御部２１は、通行阻止処理を実行し（Ｓ５４）、当該利用者に対する改札処理を終了する。  
また、利用者の通行を許可すると判定した場合（Ｓ４５でＹＥＳ、又は、Ｓ４８でＹＥＳ）、制御部２１は、ＩＣカードＣから読み取ったＩＤ情報と一致するＩＤ情報の発券情報があるか否かにより発券処理が必要か否かを判断する（Ｓ５０）。
【００６７】
ＩＤ情報が一致する発券情報による発券が必要であると判断した場合（Ｓ５０、ＹＥＳ）、制御部２１は、発券部２７による当該発券情報に基づく発券処理を実行する（Ｓ５１）。制御部２１は、発券情報に基づいて発券する券に印字すべき印字情報を決定し、決定した印字情報と共に発券部２７に発券を指示する。例えば、制御部２１は、印字情報として、発券する券の内容を示す文字情報だけでなく、二次元コードを生成しても良い。発券部２７は、制御部２１からの指示に応じて媒体に印字情報を印字した券を発券し、発券した券を券排出部１６から放出する。発券が完了すると、制御部２１は、上述した発券済み処理（Ｓ２４、Ｓ２５）として発券済み情報の送信および発券情報の削除を実行する（Ｓ５２）。発券処理が完了した場合、又は、発券が不要であると判断した場合（Ｓ５０、ＮＯ）、制御部２１は、当該利用者の通行を許可する通行許可処理を実行する（Ｓ５３）。
【００６８】
以上の処理によれば、改札機は、ＩＣカードから読み取ったＩＤ情報で検出した発券情報に特殊券に付加された乗車券の情報が含まれる場合には発券情報の乗車券情報を加味した通行判定を行うとともに、当該発券情報に基づく特殊券の発券を行う。これにより、予約購入システムで事前決済された特殊券が乗車券付きの券である場合には、事前決済した特殊券を発券するだけでなく、事前決済した特殊券に付加される乗車券の情報を加味した通行（入場）判定が可能となる。
【００６９】
次に、第２の運用例としての改札機２による出場処理について説明する。  
図１０は、第２の運用例としての改札機２による出場処理の流れを説明するためのフローチャートである。  
出場用の改札機２のエリアＥにＩＣカードＣが提示されると、当該改札機２の制御部２１は、ＩＣカード処理部２２によりＩＣカードＣに記憶されている情報を読み取る（Ｓ６１）。制御部２１は、ＩＣカードＣから正当な入場情報が読み取れたか否かを判定する（Ｓ６２）。ＩＣカードＣから正当な入場情報が読み取れなかったと判定した場合（Ｓ６２、ＮＯ）、制御部２１は、通行阻止処理を実行し（Ｓ７２）、当該利用者に対する改札処理を終了する。
【００７０】
ＩＣカードＣから正当な入場情報が読み取れたと判定した場合（Ｓ６２、ＹＥＳ）、制御部２１は、入場処理時に書き込まれる特殊券に付加された乗車券の情報がＩＣカードＣから読み取れたか否かを判定する（Ｓ６３）。ＩＣカードＣから特殊券に付加された乗車券の情報が読み取れなかった場合（Ｓ６３、ＮＯ）、制御部２１は、ＩＣカードＣから読み取った情報に基づく通常の通行（出場）判定を行う（Ｓ６４）。
【００７１】
また、ＩＣカードＣから特殊券に付加された乗車券の情報が読み取れた場合（Ｓ６３、ＹＥＳ）、制御部２１は、ＩＣカードＣから読み取った特殊券に付加された乗車券の区間内であるか否かを判断する（Ｓ６５）。特殊券に付加された乗車券の区間内であると判断した場合（Ｓ６５、ＮＯ）、制御部２１は、当該利用者の通行を許可と判定し、ＩＣカードＣに出場情報を書込み（Ｓ７０）、通行許可処理を実行し（Ｓ７１）、当該利用者に対する改札（出場）処理を終了する。
【００７２】
特殊券に付加された乗車券の区間外であると判断した場合（Ｓ６５、ＹＥＳ）、制御部２１は、区間外分の精算方法を判断する（Ｓ６６）。ここでは、制御部２１は、区間外分を差額精算するか打切り精算するかを判断するものとする。差額精算は、実際の乗車区間の料金と乗車券の区間の料金との差額を精算するものである。打切り精算は、区間外の区間を乗車した場合の料金を精算するものである。例えば、制御部２１は、差額精算とするか打切り精算とするかを乗車券の種類によって判断する。差額精算すると判断した場合（Ｓ６６、ＹＥＳ）、制御部２１は、ＩＣカードＣが記憶する情報（例えば残額情報）により差額精算が可能か否かにより通行の可否を判定する（Ｓ６７）。また、打切り精算すると判断した場合（Ｓ６６、ＮＯ）、制御部２１は、ＩＣカードＣが記憶する情報（例えば残額情報）により打切り精算が可能か否かにより通行の可否を判定する（Ｓ６８）。
【００７３】
Ｓ６４、Ｓ６７又はＳ６８の通行判定により通行許可と判定した場合（Ｓ６９、ＹＥＳ）、制御部２１は、当該利用者の通行を許可と判定し、ＩＣカードＣに出場情報を書込み（Ｓ７０）、通行許可処理を実行し（Ｓ７１）、当該利用者に対する改札（出場）処理を終了する。また、Ｓ６４、Ｓ６７又はＳ６８の通行判定により通行不可と判定した場合（Ｓ６９、ＮＯ）、制御部２１は、通行阻止処理を実行し（Ｓ７２）、当該利用者に対する改札（出場）処理を終了する。
【００７４】
以上の処理によれば、改札機２は、予約購入システムで事前決済した券に関する券情報と利用者のＩＣカードのＩＤ情報とを含む発券情報を記憶部に記憶しておく。改札機は、利用者が提示するＩＣカードからＩＤ情報と入場の可否を判定するための情報とを読み取り、読み取ったＩＤ情報と一致するＩＤ情報を含む発券情報を検出する。改札機は、検出した発券情報が通行判定に用いられる乗車券の情報を含む場合、当該発券情報に含まれる乗車券の情報と前記記憶媒体から読み取った情報とに基づいて利用者に対する通行判定を行う。さらに、改札機は、利用者の通行を許可すると判定し、かつ、記憶媒体から読み取ったＩＤ情報と一致するＩＤ情報を含む発券情報を記憶手段から検出した場合、当該利用者の通行を許可するとともに、当該ＩＤ情報を含む発券情報に基づく券を発券する。
【００７５】
これにより、改札機２は、入場時に事前決済した券が乗車券付きの特殊券である場合には事前決済した特殊券に付加される乗車券を加味した通行判定を行うことができ、さらに、事前決済した特殊券を発券して利用者に提供できる。この結果、事前決済した券が乗車券付きの特殊券であっても、窓口或いは券売機に行って受け取るなどの負担を利用者にかけることがない、利便性が高いシステムを提供できる。
【００７６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。  
以下、本願の原出願における出願当初の特許請求の範囲に記載した内容を付記する。  
［１］
発券管理装置と通信する通信手段と、
前記通信手段により発券管理装置から受信するＩＤ情報を含む発券情報を記憶する記憶手段と、
利用者が提示する記憶媒体からＩＤ情報と入場の可否を判定するための情報とを読み取る読取手段と、
前記読取手段により前記記憶媒体から読み取ったＩＤ情報と一致するＩＤ情報を含む発券情報を前記記憶手段から検出する検索手段と、
前記読取手段により読み取った情報に基づいて当該利用者に対する通行判定を行う通行判定手段と、
前記通行判定手段により利用者の通行を許可すると判定し、かつ、前記記憶媒体から読み取ったＩＤ情報と一致するＩＤ情報を含む発券情報を前記記憶手段から検出した場合、当該ＩＤ情報を含む発券情報に基づいて券を発券する発券手段と、
を有する改札機。
［２］
前記通行判定手段は、前記検索手段により検出した発券情報に通行判定に用いられる乗車券の情報が含まれる場合、当該発券情報に含まれる乗車券の情報と前記記憶媒体から読み取った情報とに基づいて当該利用者に対する通行判定を行う、
［１］に記載の改札機。
［３］
さらに、前記発券手段により発券した券の発券情報を前記記憶手段から削除するデータ削除手段を有する、
前記［１］又は[２]の何れかに記載の改札機。
［４］
さらに、前記発券手段により発券した券が発券済みであることを示す発券済み情報を前記通信手段により発券管理装置へ通知する通知手段を有する、
［１］乃至［３］の何れかに記載の改札機。
［５］
さらに、前記通信手段により発券管理装置から発券情報の削除要求を受信した場合、削除が要求された発券情報を削除するデータ処理手段を有する、
［１］乃至［４］の何れかに記載の改札機。
［６］
前記利用者が提示する記憶媒体は、非接触型のＩＣカードであり、
［１］乃至［５］の何れかに記載の改札機。
［７］
駅務システムを構成する複数の改札機と通信する通信手段と、
前記通信手段により通信可能な改札機で券を発券するための発券情報を外部装置から取得する取得手段と、
前記取得手段により取得した発券情報を記憶するデータベースと、
前記データベースに記憶した発券情報を前記通信手段により所定の条件に従って選出する改札機へ配信する配信手段と、
前記配信手段により配信した発券情報を用いて券を発券したことを示す発券済み情報を受信した場合、受信した発券済み情報が示す発券済みとなった券の発券情報の削除要求を改札機へ送信する処理手段と、
を有する発券管理装置。
［８］
前記配信手段は、前記データベースに記憶した発券情報から前記改札機での発券情報による発券が可能となった発券情報を検出し、検出した発券情報を前記選出した改札機へ配信する、
［７］に記載の発券管理装置。
［９］
さらに、前記データベースに記憶した発券情報から発券が不可となった発券情報を検出し、検出した発券が不可となった発券情報の削除要求を改札機へ送信する第２の処理手段を有する、
［７］又は［８］の何れかに記載の発券管理装置。
【符号の説明】
【００７７】
Ｃ…ＩＣカード、１…発券管理装置、２…改札機、３…予約購入システム、２１…制御部（検索手段、通行判定手段、データ削除手段、通知手段、データ処理手段）、２２…ＩＣカード処理部（読取手段）、２３…メモリ、２３ａ…記憶領域（記憶手段）、２４…通信部（通信手段）、２５…通行制御部、２７…発券部（発券手段）、４１…制御部（配信手段、処理手段、第２の処理手段）、４２…メモリ、４３…データベース、４４…第１通信部（取得手段）、４５…第２通信部（通信手段）。
【図１】
2019160345.tif 000003
【図２】
2019160345.tif 000004
【図３】
2019160345.tif 000005
【図４】
2019160345.tif 000006
【図５】
2019160345.tif 000007
【図６】
2019160345.tif 000008
【図７】
2019160345.tif 000009
【図８】
2019160345.tif 000010
【図９】
2019160345.tif 000011
【図１０】
2019160345.tif 000012